(57)【要約】【課題】剛性と美感との両立を図った樹脂製ボトルを提供する。【解決手段】角筒状の胴部３を有する樹脂製ボトル１において、胴部３の軸線方向に関する少なくとも一部に設定された特定範囲１７の壁面１０に、複数の平坦部２０と、平坦部２０の外縁２０ａに連なり、かつ外縁２０ａから離れるに従って胴部３の内方又は外方に漸次偏位する複数の傾斜部２１とを設け、複数の傾斜部２１同士は交線部２１ａを形成するように互いに連ねて形成する。【選択図】図１
2019077486.tif 000002
【特許請求の範囲】
【請求項１】
角筒状の胴部を有する樹脂製ボトルであって、
前記胴部の軸線方向に関する少なくとも一部に設定された特定範囲の壁面に、複数の平坦部と、前記平坦部の外縁に連なり、かつ前記外縁から離れるに従って前記胴部の内方又は外方に漸次偏位する複数の傾斜部とが設けられ、前記複数の傾斜部同士は交線部を形成するように互いに連なっている樹脂製ボトル。
【請求項２】
前記壁面は、前記胴部の断面に外接する長方形又は正方形の各辺の方向に沿って延びる複数の側壁部と、前記側壁部間に配置される複数の角部とを含み、各側壁部に複数の平坦部が設けられている請求項１に記載の樹脂製ボトル。
【請求項３】
前記胴部の角部にも前記複数の平坦部及び前記複数の傾斜部が設けられている請求項２に記載の樹脂製ボトル。
【請求項４】
前記複数の平坦部のそれぞれは、前記外縁の少なくとも一部が前記軸線方向に対して斜めに傾くように設けられている請求項１〜３のいずれか一項に記載の樹脂製ボトル。
【請求項５】
前記交線部が、前記外縁の前記平坦部と前記傾斜部とが連なる部分とは異なる方向に延びるように前記複数の傾斜部が設けられている請求項１〜４のいずれか一項に記載の樹脂製ボトル。
【請求項６】
前記特定範囲が前記胴部の下部に設定されている請求項１〜５のいずれか一項に記載の樹脂製ボトル。
【請求項７】
前記特定範囲が、前記胴部に巻かれるフィルムに覆われることなく前記胴部外に露出する範囲の少なくとも一部に設定されている請求項６に記載の樹脂製ボトル。
【発明の詳細な説明】
【技術分野】
【０００１】
本発明は、角筒状の胴部を有する樹脂製ボトルに関する。
【背景技術】
【０００２】
ＰＥＴボトル等の樹脂製ボトルとして、角筒状の胴部を有する角型ボトルが市場に提供されている。このタイプの樹脂製ボトルは胴部の剛性が不足すると、内容液を充填した場合に胴部の壁面が外側に撓み、それにより外箱へのボトルの収納が困難となったり、ユーザが使用する際に持ちにくく、胴部を掴んだ力で壁面が内側にたわんで内容液が溢れる、といった不都合が生じるおそれがある。そのため、胴部に凹凸形状やリブを設けるといった手法を用いて胴部の剛性を高める工夫が従来より試みられている（例えば特許文献１及び２参照）。
【先行技術文献】
【特許文献】
【０００３】
【特許文献１】実願平１−７４８８６号（実開平３−１５３１９号）の明細書
【特許文献２】特許第５４６４５２０号公報
【発明の概要】
【発明が解決しようとする課題】
【０００４】
角型ボトルにおける胴部の壁面はユーザに目立ちやすく、その部分に剛性確保を優先して凹凸形状やリブを設けた場合、ボトルの美感が損なわれて商品価値が低下するおそれがある。
【０００５】
そこで、本発明は剛性と美感との両立を図った樹脂製ボトルを提供することを目的とする。
【課題を解決するための手段】
【０００６】
本発明の一態様に係る樹脂製ボトルは、角筒状の胴部（３）を有する樹脂製ボトル（１；１Ａ〜１Ｈ）であって、前記胴部の軸線方向に関する少なくとも一部に設定された特定範囲（１７）の壁面（１０）に、複数の平坦部（２０）と、前記平坦部の外縁（２０ａ）に連なり、かつ前記外縁から離れるに従って前記胴部の内方又は外方に漸次偏位する複数の傾斜部（２１）とが設けられ、前記複数の傾斜部同士は交線部（２１ａ）を形成するように互いに連なっているものである。
【０００７】
上記態様によれば、平坦部の外縁及び傾斜部間の交線部のそれぞれにて、剛性を高める効果を伴う折り曲げ線が胴部に形成される。そのため、平坦部及び傾斜部の形状、及び配置を適宜に設定して平坦部の外縁、及び傾斜部間の交線部を種々の方向に向けることにより、胴部の剛性を特定方向に偏ることなく、種々の方向において満遍なく高めることができる。平坦部を適宜に配置することによって、角筒状の胴部の各側面が向けられた方向をユーザに対して適度に強調しつつ、平坦部と傾斜部との組み合わせによって外観に変化を与え、それにより樹脂製ボトルに一定の装飾効果を与えることができる。したがって、樹脂製ボトルの剛性を適切に確保しつつその美感を高めることが可能である。
【０００８】
上記態様において、前記壁面は、前記胴部の断面に外接する長方形又は正方形の各辺の方向に沿って延びる複数の側壁部（１１）と、前記側壁部間に配置される複数の角部（１２）とを含み、各側壁部に複数の平坦部が設けられてもよい。これによれば、樹脂製ボトルの側壁部において剛性を高めつつ胴部の美感を向上させることができる。
【０００９】
また、前記胴部の角部にも前記複数の平坦部及び前記複数の傾斜部が設けられてもよい。これによれば、側壁部のみならず、角部においても剛性を高めつつ胴部の美感を向上させることができる。
【００１０】
上記態様において、前記複数の平坦部のそれぞれは、前記外縁の少なくとも一部が前記軸線方向に対して斜めに傾くように設けられてもよい。これによれば、平坦部の外縁と傾斜部との間に形成される折れ曲げ線が胴部の軸線方向に対して斜めに傾くことになり、その折れ曲げ線により、胴部の軸線方向及びこれと直交する方向及び各辺の方向のいずれに対しても剛性を高める効果を生じさせることができる。
【００１１】
さらに、前記交線部が、前記外縁の前記平坦部と前記傾斜部とが連なる部分とは異なる方向に延びるように前記複数の傾斜部が設けられてもよい。この場合には、交線部が外縁とは異なる方向に延ばされることにより、胴部の剛性を種々の方向にさらに満遍なく高めることができる。
【００１２】
上記態様において、前記特定範囲が前記胴部の下部に設定されてもよい。胴部の下部は内容液の自重が相対的に大きく作用する領域であって、ユーザによって把持されることもあり、かつユーザにも比較的目立ちやすい。したがって、胴部の下部に平坦部及び傾斜部を設けることにより、上記態様に係る樹脂製ボトルの作用効果を確実かつ有効に発揮させることができる。
【００１３】
さらに、前記特定範囲が、前記胴部に巻かれるフィルムに覆われることなく前記胴部外に露出する範囲の少なくとも一部に設定されてもよい。フィルムにて隠される領域に比して胴部外に露出する領域はユーザに目立ち、高い美感が求められる領域である。よって、そのような領域を特定範囲として設定して平坦部及び傾斜部を設けることにより、上記態様に係る樹脂製ボトルの作用効果をさらに確実かつ有効に発揮させることができる。
【００１４】
なお、以上の説明では本発明の理解を容易にするために添付図面の参照符号を括弧書きにて付記したが、それにより本発明が図示の形態に限定されるものではない。
【図面の簡単な説明】
【００１５】
【図１】本発明の一形態に係る樹脂製ボトルの正面図。
【図２】図１の樹脂製ボトルの右側面図。
【図３】図１のIII−III線に沿った断面図。
【図４】図１のIV−IV線に沿った断面図。
【図５】図１のＶ−Ｖ線に沿った断面図。
【図６】第１の変形例に係る樹脂製ボトルの正面図。
【図７】第２の変形例に係る樹脂製ボトルの正面図。
【図８】第３の変形例に係る樹脂製ボトルの正面図。
【図９】第４の変形例に係る樹脂製ボトルの正面図。
【図１０】第５の変形例に係る樹脂製ボトルの正面図。
【図１１】第６の変形例に係る樹脂製ボトルの正面図。
【図１２】第７の変形例に係る樹脂製ボトルの正面図。
【図１３】第８の変形例に係る樹脂製ボトルの正面図。
【発明を実施するための形態】
【００１６】
図１〜図５は本発明の一形態に係る樹脂製ボトルを示している。図１及び図２に示すように、樹脂製ボトル（以下、ボトルと略称する。）１は、飲料その他の液体を収容するためのもので、例えばＰＥＴ（ポリエチレンテレフタレート）樹脂を材料としてブロー成形法により所定形状に成形される。ボトル１には、下から順に底部２、胴部３、肩部４及び口部５が設けられている。胴部３は、角筒状、言い換えれば胴部３の断面に外接する包括的な輪郭形状を観念したときに、その輪郭形状が長方形又は正方形を呈するように形成されている（図３〜図５参照）。そのような胴部を有するボトルは角型ボトルと呼ばれることもある。なお、図１及び図２において、同一の参照符号が付されるべき複数の構成要素については、図の煩雑を避けるために、それらの一部に代表して参照符号を付してある。
【００１７】
図３〜図５から明らかなように、胴部３の壁面１０は、包括的な輪郭形状である長方形又は正方形の各辺に沿って延びる四つの側壁部１１と、側壁部１１の間、すなわち胴部３の四隅に配置される四つの角部１２とを含んでいる。なお、壁面１０は、胴部３を周方向に一周する間に現れる全ての面を意味する。図１及び図２に示すように、壁面１０は、胴部３（又はボトル１）の軸線方向に関するほぼ中央を境として、上側領域１３と下側領域１４とにほぼ二等分されている。上側領域１３は、商品名、商標等の商品情報を所定の意匠と組み合わせて表示するためのシュリンクフィルム等のフィルムが巻き付けられるべき領域として設定されている。その上側領域１３には、複数の溝部１５が胴部３を一周するように設けられている。溝部１５は胴部３の軸線方向（図１における上下方向）に関してほぼ同一間隔に配置されている。最下段の溝部１５は上側領域１３と下側領域１４との境界を画する形状要素としても機能する。つまり、最下段の溝部１５が上側領域１３の下端に相当し、フィルムはそれよりも上側を覆うようにして胴部３に巻き付けられる。
【００１８】
下側領域１４は、フィルムにて覆われることなく胴部３外に露出する領域として設定されている。壁面１０の下側領域１４は、さらに底側領域１６と、装飾領域１７とに区分される。図１では、それらの領域１６、１７の境界位置を想像線Ｌ１にて示している。底側領域１６は、胴部３の下縁部に沿って胴部３を帯状に一周する平坦面状に形成されている。底側領域１６において、壁面１０の側壁部１１は、胴部３の包括的な輪郭形状である長方形又は正方形の各辺の方向（図３〜図５における上下及び左右方向に相当し、以下、これらの方向を辺方向と呼ぶことがある。）、及び胴部３の軸線方向のいずれの方向に対しても平行に延び、角部１２は、側壁部１１の境界を一定量面取りして得られる斜辺と概ね平行な方向（図３〜図５にて辺方向に対し概ね４５°傾いた方向に相当し、以下、この方向を斜辺方向と呼ぶことがある。）、及び胴部３の軸線方向のいずれの方向に対しても平行に延びている。
【００１９】
装飾領域１７は、複数の平坦部２０と、複数の傾斜部２１とを組み合わせて形成される領域であって、特定範囲の一例に相当する。図４から明らかなように、側壁部１１及び角部１２のそれぞれにおいて、平坦部２０は辺方向に平行な平面状に延ばされている。図１及び図２に示したように、平坦部２０は、装飾領域１７の上端部及び下端部に配置される平坦部２０を除いて概ね菱形の形状に形成されている。装飾領域１７の上端部及び下端部の平坦部２０は、菱形形状を二分した三角形状に形成されている。菱形状の平坦部２０及び三角形状の平坦部２０のいずれにおいても、外縁２０ａは胴部３の軸線方向に対して右上がり又は左上がりとなるよう斜めに傾いた方向に延びている。
【００２０】
平坦部２０は、各側壁部１１及び各角部１２に複数設けられている。つまり、一つの側壁部１１に複数の平坦部２０が設けられ、一つの角部１２にも複数の平坦部２０が設けられている。各側壁部１１においては、胴部３の軸線方向に平坦部２０が二列に並べて配置され、各角部１２においては軸線方向に平坦部２０が一列に並べて配置されている。辺方向及び斜辺方向に関しては、装飾領域１７の上端部及び下端部にて三角形状の平坦部２０が一列ずつ配置され、それらの平坦部２０の間では菱形の平坦部２０が二列ずつ配置されている。各平坦部２０はその頂点部において隣り合う平坦部２０と接するように設けられている。装飾領域１７の上端部に配置された平坦部２０の底辺側は溝部１５に連なり、装飾領域１７の下端部に配置された平坦部２０の底辺側は底側領域１６の壁面１０と面一に連なっている。なお、図４では平坦部２０の頂点部の位置を白抜きの丸印で示している。各側壁部１１及び各角部１２に設けられる平坦部２０の個数は、装飾領域１７の大きさに応じて適宜に変更されてよい。
【００２１】
図１及び図２に示したように、傾斜部２１は三角形状であり、その一辺が平坦部２０の外縁２０ａに連なるように配置されている。各傾斜部２１は平坦部２０の外縁２０ａの一辺と境界を共有するようにして外縁２０ａと１対１に対応付けて設けられている。図３及び図５から明らかなように、傾斜部２１は平坦部２０の外縁から離れるほど胴部３の内方に漸次後退するように傾けられている。平坦部２０の外縁２０ａと接する部分を除いて、傾斜部２１同士は胴部３の内方にて、交線部の一例としての谷筋２１ａ（図において一部は符号を省略する。）を形成するようにして互いに連なっている。谷筋２１ａは胴部３の軸線方向、あるいは胴部３の辺方向又は斜辺方向に概ね平行に延びている。つまり、胴部３の軸線方向に隣接する傾斜部２１間の谷筋２１ａは胴部３の辺方向又は斜辺方向に延び、胴部３の辺方向又は斜辺方向に隣接する傾斜部２１間の谷筋２１ａは胴部３の軸線方向に延びている。なお、図３及び図５において、平坦部２０の頂点部の位置を白抜きの丸印で、谷筋２１ａ同士の交点部を黒塗りの丸印で示している。
【００２２】
以上のように、装飾領域１７においては、平坦部２０が規則的に配置され、かつそれらの平坦部２０の間には傾斜部２１が平坦部２０から胴部３の内方に漸次後退するようにして規則的に配置されている。したがって、装飾領域１７において、壁面１０には、平坦部２０の外縁２０ａ及び傾斜部２１の谷筋２１ａのそれぞれにて、剛性を高める効果を伴う折り曲げ線が形成され、かつ外縁２０ａは胴部３の軸線方向の両側に斜めに傾斜した方向に、谷筋２１ａは外縁２０ａとは異なる方向、具体的には胴部３の軸線方向、辺方向又は斜辺方向にそれぞれ延びている。これにより、装飾領域１７の剛性を特定方向に偏ることなく、種々の方向において満遍なく高めることができる。しかも、平坦部２０を適宜に配置することによって、側壁部１１及び角部１２が向けられた方向をユーザに対して適度に強調しつつ、平坦部２０と傾斜部２１との規則的な配置により装飾領域１７の外観に整然とした凹凸形状を付与し、それによりボトル１に秩序ある装飾効果を与えることができる。したがって、ボトル１の剛性を適切に確保しつつボトル１の美感を高めることが可能である。平坦部２０と傾斜部２１とが形成する凹凸により、ユーザがボトル１を手にしたときの安定感を高めることも可能である。
【００２３】
本発明は上記した形態に限られることなく、種々の形態にて実施されてよい。例えば、上記の形態では、ボトル１の側壁部１１及び角部１２のそれぞれに平坦部２０及び傾斜部２１が設けられているが、側壁部１１に限定して平坦部２０及び傾斜部２１が設けられてもよい。その場合、角部１２における壁面１０は、胴部３の軸線方向及び斜辺方向に概ね平行に延びる平面状に形成されてよい。ただし、角部１２に凹凸形状が適宜に付されてもよい。また、上記の形態では、平坦部２０間に傾斜部２１のみが配置されているが、胴部３の内方における谷筋２１ａの交点部（図３及び図５の黒塗りの丸印の位置）といった適宜の位置に、平坦部２０と概ね平行な底壁部、あるいは丸みをもった凹面、あるいは凸面が追加されてもよい。
【００２４】
平坦部２０及び傾斜部２１は、上記のような菱形状又は三角形状に限定されず、種々の変形が可能である。平坦部２０及び傾斜部２１を変更した第１〜第８の変形例を図６〜図１３に示す。以下、それらの変形例を順に説明する。なお、図６〜図１３においては、ボトル１を区別するために参照符号１に添字Ａ〜Ｈを付してある。また、図６〜図１３において、ボトルの平坦部、傾斜部といった構成要素には図１〜図５と共通する参照符号を付してあり、同一の参照符号が付されるべき複数の構成要素については、図の煩雑を避けるために、それらの一部に代表して参照符号を付してある。図６〜図１３において、胴部３の上側領域１３は簡略化して示されているが、当該領域１３には適宜の形状が付されてよい。
【００２５】
図６のボトル１Ａは、図１〜図５のボトル１に対して平坦部２０の個数を減らした例である。図示の例では、装飾領域１７の上端部及び下端部に配置される三角形状の平坦部２０の列と、それらの間に一列に配置される菱形状の平坦部２０とが設けられている。傾斜部２１の形状はボトル１のそれと同様である。図７のボトル１Ｂは、平坦部２０の形状を、下側が底辺となる三角形状で統一した例である。図７とは逆に平坦部２０を上側が底辺となる三角形状に形成してもよい。平坦部２０は菱形状又は三角形状のように直線的な外縁２０ａを備えた多角形状に形成される例に限らない。例えば、図８に示したボトル１Ｃのように楕円状の平坦部２０が設けられてもよい。このような平坦部２０であっても、その外縁２０ａは胴部３の軸線方向に対して傾斜角度を漸次代えつつ斜めに延び、その外縁２０ａと連なる傾斜部２１間の谷筋２１ａは平坦部２０の外縁２０ａとは異なる方向に延びる。したがって、本発明による剛性向上等の作用効果を発揮することが可能である。
【００２６】
図９のボトル１Ｄは、図６のボトル１Ａの平坦部２０の形状を変更した例である。装飾領域１７の軸線方向中間に一列で配置される平坦部２０のそれぞれは八角形状であり、装飾領域１７の上端部及び下端部に配置される平坦部２０は八角形状を二分した形状である。隣接する平坦部２０は、外縁２０ａの一辺を共有するようにして互いに連なっている。
平坦部２０同士が連なっている位置の外縁２０ａを図９では想像線にて示している。傾斜部２１は、外縁２０ａの一部、つまり平坦部２０同士が連なっている部分とは異なる辺にて外縁２０ａと連なるように設けられている。傾斜部２１同士が谷筋２１ａを形成するように互いに連なっている点は図１のボトル１、及び図６〜図８のボトル１Ａ〜１Ｃと同様である。このように、平坦部２０同士が互いに連続して配置されている場合でも、平坦部２０の外縁２０ａの一部に傾斜部２１を連ねて設けることにより、本発明を適用することが可能である。
【００２７】
上述した形態及び変形例では、平坦部２０が胴部３の軸線方向に対して左右対称の形状に形成されている。ただし、平坦部２０はそのような対称形状に限定されない。例えば図１０のボトル１Ｅでは、側壁部１１に配置される平坦部２０が、菱形形状又は三角形状の左端の頂点部を左側に引き延ばすように変形させた形状に形成されている。このような平坦部２０であっても、傾斜部２１との組み合わせにより、本発明の剛性向上等の作用効果を発揮することが可能である。
【００２８】
図１１のボトル１Ｆは、図１〜図５のボトル１、又は図６のボトル１Ａに対して装飾領域１７の軸線方向中間位置に配置される菱形状の平坦部２０を省略し、上下に二列の三角形状の平坦部２０を設けた例である。この場合でも、平坦部２０の外縁２０ａが胴部３の軸線方向に対して斜めに傾斜し、かつ傾斜部２１間の谷筋２１ａが外縁２０ａとは異なる方向に延びる点で、上記のボトル１及び変形例のボトル１Ａ〜１Ｅと同様である。
【００２９】
図１２のボトル１Ｇは、図１〜図５のボトル１に対して平坦部２０の個数を増やした例である。図示の例では、装飾領域１７の上端部及び下端部に配置される三角形状の平坦部２０の列と、それらの間に三列に亘って配置される菱形状の平坦部２０とが設けられている。傾斜部２１の形状はボトル１のそれと同様である。図１３のボトル１Ｈは、装飾領域１７の軸線方向中間に配置される平坦部２０を星型多角形状に、装飾領域１７の上端部及び下端部に配置される平坦部２０を、星型多角形状を二分した形状に形成した例である。このような例では、平坦部２０の外縁２０ａの方向を多様に変化させることができるので、傾斜部２１間の谷筋２１ａの方向も多様化され、剛性の確保、向上に好都合である。
【００３０】
上述した形態及びその変形例では、胴部３の下部の装飾領域１７に限って平坦部２０及び傾斜部２１が設けられているが、装飾領域１７に加えて、又は代えて他の領域に平坦部２０及び傾斜部２１が設けられてもよい。胴部３の軸線方向全長に亘って平坦部２０及び傾斜部２１が設けられてもよい。また、傾斜部２１は、平坦部２０の外縁２０ａから離れるに従って胴部３の内方に漸次後退するように形成される例に限らず、平坦部２０の外縁２０ａから離れるに従って胴部３の外方に漸次突出するように形成されてもよい。その場合、傾斜部２１同士の間には、谷筋２１ａに代えて稜線が交線部の一例として形成される。つまり、胴部３の軸線方向に関する少なくとも一部に設定された特定範囲における壁面１０に、複数の平坦部２０と、それらの平坦部２０の外縁２０ａに連なり、かつ外縁２０ａから離れるに従って胴部３の内方又は外方に漸次偏位するように複数の傾斜部２１が設けられてよい。なお、傾斜部２１を平坦部２０よりも胴部３の外方に突出させる場合には、例えば平坦部２０を上側領域１３における壁面１０よりも胴部３の内方に後退させることにより、装飾領域１７における壁面１０の断面輪郭を上側領域１３における壁面１０よりも外方に突出させることなく本発明を適用することができる。
【００３１】
上述した形態及びその変形例では、平坦部２０の外縁２０ａの少なくとも一部が、胴部３の軸線方向に対して斜めに傾いた方向に延ばされているが、平坦部２０を各辺が胴部３の軸線方向及び辺方向（又は斜辺方向）と平行な長方形又は正方形状に形成してもよい。その場合でも傾斜部２１同士の交線部を胴部３の軸線方向に対して斜めに傾いた方向に向けることにより、本発明の剛性向上効果等を発揮させることができる。
【００３２】
傾斜部２１は平坦部２０の外縁２０ａから離れるに従って胴部３の内方又は外方に漸次偏位するように設けられていればよい。したがって、傾斜部２１は傾斜角度が一定の傾斜面状に形成されてもよいし、胴部３の内方又は外方に向かって凸となる湾曲を帯びた形状に形成されてもよい。上記の形態及び変形例では、平坦部２０を胴部３の軸線方向、及び辺方向又は斜辺方向に平行な平面として形成したが、一部の平坦部２０については軸線方向に対して幾らか傾きが付されてもよい。例えば、装飾領域１７の上端部及び下端部に配置される平坦部２０については、軸線方向中間に向かって幾らかの下り勾配を描くように設けられてもよい。そのような傾斜を付した場合には、装飾領域１７に、軸線方向上端部及び下端部と比して軸線方向中間部が胴部３の内側に幾らか絞られたような外観を付与することができる。本発明のボトルにおいては、上記の形態及びその変形例で示した平坦部２０及び傾斜部２１の各種の形状が適宜に組み合わせて用いられてもよい。
【００３３】
本発明は、適宜の容量のボトルに適用可能であるが、一例として、ユーザがボトルを持って口部５から直接的に飲料を取り込むことが多い５００ミリリットルを中心とした一定範囲（例えば２８０〜１０００ミリリットル程度）のボトルに適用されてよい。この範囲のボトルは、より大容量のボトルと比較して、内容液の自重が小さく胴部の膨らみやユーザが手に持ったときの変形が相対的に小さい一方で、ユーザが携行する機会が多くて美感に対する要求が相対的に高い。そのため、剛性と美感との両立を図った本発明を好適に適用することができる。
【符号の説明】
【００３４】
１、１Ａ〜１Ｈ  樹脂製ボトル１
３  胴部
１０  胴部の壁面
１１  側壁部
１２  角部
１４  下側領域
１６  底側領域
１７  装飾領域（特定範囲）
２０  平坦部
２０ａ  平坦部の外縁
２１  傾斜部
２１ａ  傾斜部の谷筋（交線部）
【図１】
2019077486.tif 000003
【図２】
2019077486.tif 000004
【図３】
2019077486.tif 000005
【図４】
2019077486.tif 000006
【図５】
2019077486.tif 000007
【図６】
2019077486.tif 000008
【図７】
2019077486.tif 000009
【図８】
2019077486.tif 000010
【図９】
2019077486.tif 000011
【図１０】
2019077486.tif 000012
【図１１】
2019077486.tif 000013
【図１２】
2019077486.tif 000014
【図１３】
2019077486.tif 000015